(57)【要約】      （修正有）【課題】製品のデザイン性の改善のための製造コストの上昇をより抑えることが可能な把手構造、及び把手不視化方法を提供する。【解決手段】把手構造は、製品の筐体に設けられ、筐体の内側に向けて突出する形状に形成された凹み１と、弾性を有し、凹みの開口部１ａを覆うカバー３と、を備える。形成された凹みの開口部の形状を基に、弾性を有するカバーを用意し、カバーを、筐体の開口部を覆う位置に取り付け、これにより把手不視化とする。【選択図】図１
2020096096.tif 000002
【特許請求の範囲】
【請求項１】
筐体に設けられ、前記筐体の内側に向けて突出する形状に形成された凹みと、
弾性を有し、前記凹みの開口部を覆うカバーと、
を備える把手構造。
【請求項２】
前記開口部の周囲に、前記筐体の表面より内側に位置する平坦部が設けられ、
前記カバーの端部は、前記平坦部に取り付けられている、
請求項１に記載の把手構造。
【請求項３】
前記カバーは、溶着、及び接着のうちの何れかにより取り付けられている、
請求項１または２に記載の把手構造。
【請求項４】
前記カバーの端部の少なくとも一部と接し、該一部を前記平坦部との間に挟んで固定する板状部材、
を更に有する請求項２に記載の把手構造。
【請求項５】
前記板状部材は、前記筐体と同じ材質である、
請求項４に記載の把手構造。
【請求項６】
筐体に設けられ、前記筐体の内側に向けて突出する形状に形成された凹みの開口部の形状を基に、弾性を有するカバーを用意し、
前記カバーを、前記筐体の前記開口部を覆う位置に取り付ける、
把手不視化方法。
【発明の詳細な説明】
【技術分野】
【０００１】
本発明は、筐体に適用される把手構造、及び把手不視化方法に関する。
【背景技術】
【０００２】
製品のなかには、筐体に、持ち運び用に凹みが把手として設けられたものがある。しかし、筐体に設けられた凹みである把手は、目立ち、製品のデザイン性を損なわせる。そのため、従来、把手の開口部に板状の扉を設けることが行われている（例えば、特許文献１参照）。このような扉を設けることにより、把手を隠せることから、デザイン性を改善することができる。
【先行技術文献】
【特許文献】
【０００３】
【特許文献１】実願平１−６３８６６号（実開平３−３８８７号）のマイクロフィルム
【発明の概要】
【発明が解決しようとする課題】
【０００４】
上記扉は、把手の入口上部に支点を備えている。このため、その支点を中心に回転させることができ、扉が把手の使用を阻害しないようになっている。また、自重により、把手の開口部を塞ぐ状態に自動的に復帰するようになっている。しかし、構造的に複雑となるため、製品の製造コストを上昇させる要因となっている。
【０００５】
本発明は、かかる課題を解決するためになされたもので、その目的は、製品のデザイン性の改善のための製造コストの上昇をより抑えることが可能な把手構造、及び把手不視化方法を提供することにある。
【課題を解決するための手段】
【０００６】
本発明に係る把手構造は、筐体に設けられ、筐体の内側に向けて突出する形状に形成された凹みと、弾性を有し、凹みの開口部を覆うカバーと、を備える。
【０００７】
本発明に係る把手不視化方法は、筐体に設けられ、筐体の内側に向けて突出する形状に形成された凹みの開口部の形状を基に、弾性を有するカバーを用意し、カバーを、筐体の開口部を覆う位置に取り付ける。
【発明の効果】
【０００８】
本発明によれば、製品のデザイン性の改善のための製造コストの上昇をより抑えることができる。
【図面の簡単な説明】
【０００９】
【図１】本発明の実施の形態１に係る把手構造を示す分解図である。
【図２】本発明の実施の形態１に係る把手構造を示す断面図である。
【図３】本発明の実施の形態１に係る把手構造の使用時の状態例を示す断面図である。
【図４】本発明の実施の形態２に係る把手構造を示す分解図である。
【図５】本発明の実施の形態２に係る把手構造を示す断面図である。
【発明を実施するための形態】
【００１０】
以下、本発明に係る把手構造、及び把手不視化方法の実施の形態を、図を参照して説明する。
【００１１】
実施の形態１．
図１は、本発明の実施の形態１に係る把手構造を示す分解図である。この把手構造は、製品の筐体に移動用に設けられるものであり、図１に示すように、把手となる凹み１と、凹み１の開口部１ａを覆うカバー３とを備えている。
【００１２】
開口部１ａの周囲には、全体に渡り、筐体より内側に位置する平坦部２が形成されている。カバー３は、端部が平坦部２に取り付けられている。カバー３は、エラストマー系の高分子素材で作製されており、弾性を備えている。
【００１３】
図２は、本発明の実施の形態１に係る把手構造を示す断面図である。この断面図は、筐体１０と垂直な面で把手構造を切断した場合のものである。
【００１４】
図２に示すように、凹み１及び平坦部２は、筐体１０と一体となっている。そのため、凹み１及び平坦部２は、例えば筐体１０の作製時に形成される。凹み１は、筐体１０の表面から内側に向けて突出する形状であり、全体的には矩形柱状である。
【００１５】
平坦部２は、筐体１０の表面の垂直方向上、その表面との差がカバー３の厚みと同じか、或いは略同じ段差である。この結果、図２に示すように、筐体１０の表面とカバー３の表面とは、筐体１０の表面の垂直方向上の差がないか、或いは殆ど差がないようになっている。カバー３は、凹み１全体に加え、平坦部２の大部分を覆っている。このようなことから、カバー３とその周囲での凸凹は視認し難く、デザイン的にすっきりとした仕上がりとなっている。そのため、デザイン性は、大きく改善している。以降、垂直方向は、特に断らない限り、筐体の表面の垂直方向を指す意味で用いる。
【００１６】
特許文献１に記載されたような扉を開口部１ａに設ける場合、扉がスムーズに動くように、扉の周囲にはある程度の遊びが必要である。その遊びにより、扉の周囲には、視認し易い凸凹が生じ、デザイン性が損なわれる。しかし、本実施の形態１では、少なくとも凸凹の程度は抑えられる。凸凹を無くすことも可能である。そのため、本実施の形態１では、特許文献１に記載の従来技術と比較し、デザイン性をより改善させることができる。
【００１７】
扉を設ける場合、構造的に複雑となる。例えば特許文献１に記載のように、扉には支点となる突起を、凹みには、突起を挿入する穴をそれぞれ設ける必要がある。カバー３に開口部１ａを覆わせる場合、構造的に複雑化するのを回避することができる。このため、製品の製造コストの上昇はより抑えることができる。
【００１８】
本実施の形態１では、カバー３の端部は、熱溶着、或いは接着剤による接着により平坦部２に固定させている。これは、ネジ等の部材を用いてカバー３を固定させる場合、特に表面処理を行わなくとも、その部材によるデザイン性の低下を回避できるからである。つまり、製造コストの上昇をより抑えつつ、デザイン性の改善が行えるからである。デザイン性に影響があまり無いような場合、ネジ等の部材を用いてカバー３を固定するようにしても良い。なお、カバー３の端部を全体的に熱溶着、或いは接着により固定する必要は無い。カバー３の端部を数点のみ、固定させても良い。
【００１９】
図３は、本発明の実施の形態１に係る把手構造の使用時の状態例を示す断面図である。カバー３は、上記のように、エラストマー系の高分子素材で作製されている。そのため、図３に示すように、カバー３は、外部から押すことにより変形し、凹み１を把手として使用することができる。外部からの力を解除した場合、カバー３は弾性力によって元の状態、つまり図２に示す状態に自動的に復帰する。このようなことから、開口部１ａにカバー３を設けても、事実上、カバー３は凹み１の把手としての使用を阻害しないようになっている。
【００２０】
エラストマー系の高分子素材は、摩擦係数が比較的に大きい材質である。そのため、カバー３に用いた場合、カバー３が滑り止めとしても機能し、凹み１内の指はより安定的に適切な状態を維持することができる。
【００２１】
実施の形態２．
図４は、本発明の実施の形態２に係る把手構造を示す分解図であり、図５は、本発明の実施の形態２に係る把手構造を示す断面図である。
【００２２】
本実施の形態２では、図４に示すように、平坦部２の形状に合わせて作製された枠板５をカバー３の固定に用いる。枠板５には、カバー３を押して凹み１に指を接触できるように、穴５ａが設けられている。この枠板５は、本実施の形態２における板状部材に相当する。
【００２３】
カバー３の端部は、平坦部２と枠板５との間に挟まれる。カバー３の端部の固定は、例えば枠板５側からのネジ止めにより行うことができる。カバー３の端部に穴を設け、その穴の部分で平坦部２と枠板５とを直接、接着させることにより、カバー３の端部を固定するようにしても良い。この枠板５を用いた取り付け方法を採用した場合、枠板５は平坦部２に直接的に固定され、カバー３端部は枠板５によっても固定されることから、カバー３をより強固、且つ安定的に取り付けることができる。
【００２４】
本実施の形態２では、平坦部２と筐体１０の表面との間の垂直方向上の差は、カバー３の厚みと枠板５の厚みを足した厚さに等しいか、或いは略等しくなっている。言い換えれば、枠板５を取り付けた際に、垂直方向上、筐体１０の表面は、枠板５の表面と一致するか、或いは略一致するようになっている。そのため、図５に示すように、筐体１０の表面、枠板５及びカバー３による凸凹の程度を抑えることができる。それにより、デザイン性はより改善させることができる。
【００２５】
枠板５は、筐体１０と同じか、或いは同じ種類の材質で作製している。枠板５の材質としては、例えば筐体１０の材質が金属であれば、種類は異なっても金属が採用され、筐体１０の材質が樹脂であれば、種類は異なっても樹脂が採用される。これは、材質の違いにより、枠板５と筐体１０との違いが認識し易くなるのを回避するためである。それらの違いを視認し難くすることにより、枠板５を用いることによるデザイン性の低下を抑えることができる。
【００２６】
なお、本実施の形態２では、垂直方向上、枠板５の表面と筐体１０の表面とを一致させるようにしているが、カバー３の表面と筐体１０の表面とを一致させるようにしても良い。枠板５は、カバー３の端部全体を覆う形状となっているが、その端部全体を覆う形状でなくとも良い。このこともあり、枠板５は、複数であっても良い。従って、平坦部２と枠板５との間に挟まれるカバー３の端部は、一部のみであっても良い。
【００２７】
本実施の形態２、及び上記実施の形態１では、製品の製造時に、或いは製造終了後に、カバー３を製品に取り付けることを想定している。つまり本実施の形態２、及び上記実施の形態１に係る各把手不視化方法は、製品を製造するメーカ等で用いられることを想定している。しかし、カバー３は、顧客等の要望により、必要に応じて製品に取り付けるようにしても良い。必要に応じて製品に取り付けられるように、カバー３等は別製品、或いは付属品として用意しても良い。このことから、把手不視化方法も、メーカ以外で用いられても良い。凹み１を視認し難くすることにより、デザイン性は改善されることから、カバー３は、凹み１を完全に視認できないものでなくとも良い。
【００２８】
本実施の形態２、或いは上記実施の形態１のような把手構造を採用する対象となる製品の種類は、特に限定されない。筐体を備え、把手を必要とする製品であれば、その把手構造は幅広く適用することができる。把手構造、つまり凹み１については、必ずしも筐体と一体化させる必要は無く、別の部品として作製し、筐体に取り付けるようにしても良い。
【符号の説明】
【００２９】
１  凹み、１ａ  開口部、２  平坦部、３  カバー、５  枠板、５ａ  穴、１０  筐体。
【図１】
2020096096.tif 000003
【図２】
2020096096.tif 000004
【図３】
2020096096.tif 000005
【図４】
2020096096.tif 000006
【図５】
2020096096.tif 000007